(57)【要約】【課題】簡易な構成で表示画面内の指定領域の輝度を調整することができる照明装置を備えた表示装置を提供すること。【解決手段】照明装置５０が、表示領域ＡＲ１に重なるように配置された奥側導光板５３と、奥側導光板５３に比して表示パネル１０近傍側、かつ平面視で表示領域ＡＲ１に重なるように配置された手前側導光板５４と、一辺５３ｃに沿って配置され、光を照射する奥側光源５５ａと、平面視で奥側光源５５ａが設けられる辺５３ｃの方向と交わる方向の一辺５４ｃに沿って配置され、光を照射する手前側光源５５ｂとを有し、かつ奥側光源５５ａと手前側照光源５５ｂを合わせて３か所以上に配置されてなる照明部５５と、反射部材５６と、奥側導光板５３と手前側導光板５４の間に設けられ、奥側導光板５３と異なる屈折率の材料によってなる異屈折率部材５７と、各奥側光源５５ａおよび各手前側光源５５ｂのオンオフ制御を行う照明制御部６０と、を有してなる。【選択図】図１
2013012439.tif 000002
【特許請求の範囲】
【請求項１】
画像を表示させる表示パネルと、該表示パネルの背面側から光を照射する照明装置とを有してなる表示装置において、
前記照明装置は、
平面視で前記表示パネルの表示領域に重なるように配置された奥側導光板と、
前記奥側導光板に比して前記表示パネル近傍側、かつ平面視で前記表示領域に重なるように配置された手前側導光板と、
前記奥側導光板の一辺に沿って配置され、該奥側導光板内に光を照射する奥側光源と、
前記手前側導光板の辺のうち、平面視で前記奥側光源が設けられる辺の方向と交わる方向の一辺に沿って配置され、該手前側導光板内に光を照射する手前側光源とを有し、かつ前記奥側光源と前記手前側光源を合わせて３か所以上に配置されてなる照明部と、
前記奥側導光板に比して前記表示パネルに対して前記照明装置の奥側に配置され、光を前記奥側導光板に向けて反射させる反射部材と、
前記奥側導光板と前記手前側導光板の間に設けられ、前記奥側導光板と異なる屈折率の材料によってなる異屈折率部材と、
前記照明部の各奥側光源および各手前側光源のオンオフ制御を行う照明制御部と、
を有してなることを特徴とする表示装置。
【請求項２】
画像を表示させる表示パネルと、該表示パネルの背面側から光を照射する照明装置とを有してなる表示装置において、
前記照明装置は、
平面視で前記表示パネルの表示領域に重なるように配置された奥側導光板と、
前記奥側導光板に比して前記表示パネル近傍側、かつ平面視で前記表示領域に重なるように配置された手前側導光板と、
前記奥側導光板の一辺に沿って配置され、該奥側導光板内に光を照射する奥側光源と、
前記手前側導光板の辺のうち、平面視で前記奥側光源が設けられる辺の方向と交わる方向の一辺に沿って配置され、該手前側導光板内に光を照射する手前側光源とを有し、かつ前記奥側光源と前記手前側照光源を合わせて３か所以上に配置されてなる照明部と、
前記奥側導光板に比して前記表示パネルに対して前記照明装置の奥側に配置され、光を前記奥側導光板に向けて反射させる反射部材と、
前記奥側導光板と前記手前側導光板の間に隙間を形成させた隙間部と、
前記照明部の各奥側光源および各手前側光源のオンオフ制御を行う照明制御部と、
を有してなることを特徴とする表示装置。
【請求項３】
前記手前側導光板は、
該手前側導光板の前記表示パネルに対して手前側の面に光を拡散させる光拡散処理部が形成されてなることを特徴とする請求項１または２に記載の表示装置。
【請求項４】
前記照明制御部は、
前記表示領域で表示される画像領域と、前記奥側光源と前記手前側光源との照明光交差領域とを対応させて、前記画像領域のうち黒色部分に対応する照明光交差領域を形成する前記奥側光源および前記手前光源をオフにする制御を行うことを特徴とする請求項１、２または３に記載の表示装置。
【請求項５】
当該表示装置は、
前記表示領域内を前記奥側光源および前記手前側光源から照射される光の照明光交差領域に対応して分割された分割領域の各分割領域の明るさ設定情報を入力する入力部をさらに有してなり、
前記照明制御部は、
前記入力部によって出力された前記明るさ設定情報に応じて前記各分割領域に対応する前記奥側光源および前記手前側光源をオンオフ制御することを特徴とする請求項１、２、３、４または５に記載の表示装置。
【発明の詳細な説明】
【技術分野】
【０００１】
本発明は、画像を表示させる表示パネルと、該表示パネルの背面側から光を照射する照明装置とを有してなる表示装置に関する。
【背景技術】
【０００２】
従来、画像を表示させる表示パネルと、該表示パネルの背面側から光を照射する照明装置とを有してなる表示装置がある。このような表示装置は、照明装置から発せられ、表示パネルを透過する光の透過光量を調節することによって画像を表示するようにしている。例えば、液晶表示装置では、表示パネルに設けられた液晶材によって光の透過量を調整するようにしている。このように、表示パネル側で光の透過量を調整するものに加えて、照明装置から照射する光の光量を調整するものが提案されている（例えば、特許文献１参照）。
【先行技術文献】
【特許文献】
【０００３】
【特許文献１】特開２００９−２０４８２５号公報
【発明の概要】
【発明が解決しようとする課題】
【０００４】
特許文献１に記載された表示装置は、複数の画素の集合でなる表示領域を有する表示パネルと、複数の発光ダイオードを有する直下型のバックライトと、それぞれの前記画素の階調を制御する第１の制御手段と、それぞれの前記発光ダイオードの明るさを制御する第２の制御手段とを有する表示装置であって、前記表示装置の周辺の照度を測定する照度測定手段を有し、前記第２の制御手段は、前記照度測定手段で測定した照度があらかじめ定められた値より高い場合は、全ての前記発光ダイオードの明るさが同じ明るさに決定し、あらかじめ定められた値よりも低い場合は、それぞれの前記画素の階調に基づいてそれぞれの前記発光ダイオードの明るさを決定するものである。
【０００５】
ところで、例えば、医療現場では内視鏡によって撮影された写真の疾患部分を注視したい場合、画素単位でなく、それよりも広い領域ごとに輝度の調整を行うことが望まれる。
【０００６】
しかしながら、特許文献１に記載された表示装置では、それぞれの画素に応じて発光ダイオードが設けられるため、多数の発光ダイオードを設けるとともに、多数の発光ダイオードの明るさを制御しなければならないため、装置構成が複雑であるという問題があった。
【０００７】
本発明は、上記に鑑みてなされたものであって、簡易な構成で表示領域内の指定領域の輝度を調整することができる照明装置を備えた表示装置を提供することを目的とする。
【課題を解決するための手段】
【０００８】
上述した課題を解決し、目的を達成するために、本発明にかかる表示装置は、画像を表示させる表示パネルと、該表示パネルの背面側から光を照射する照明装置とを有してなる表示装置において、前記照明装置は、平面視で前記表示パネルの表示領域に重なるように配置された奥側導光板と、前記奥側導光板に比して前記表示パネル近傍側、かつ平面視で前記表示領域に重なるように配置された手前側導光板と、前記奥側導光板の一辺に沿って配置され、該奥側導光板内に光を照射する奥側光源と、前記手前側導光板の辺のうち、平面視で前記奥側光源が設けられる辺の方向と交わる方向の一辺に沿って配置され、該手前側導光板内に光を照射する手前側光源とを有し、かつ前記奥側光源と前記手前側照光源を合わせて３か所以上に配置されてなる照明部と、前記奥側導光板に比して前記表示パネルに対して前記照明装置の奥側に配置され、光を前記奥側導光板に向けて反射させる反射部材と、前記奥側導光板と前記手前側導光板の間に設けられ、前記奥側導光板と異なる屈折率の材料によってなる異屈折率部材と、前記照明部の各奥側光源および各手前側光源のオンオフ制御を行う照明制御部と、を有してなることを特徴とする。
【０００９】
また、本発明にかかる表示装置は、上記の発明において、画像を表示させる表示パネルと、該表示パネルの背面側から光を照射する照明装置とを有してなる表示装置において、前記照明装置は、平面視で前記表示パネルの表示領域に重なるように配置された奥側導光板と、前記奥側導光板に比して前記表示パネル近傍側、かつ平面視で前記表示領域に重なるように配置された手前側導光板と、前記奥側導光板の一辺に沿って配置され、該奥側導光板内に光を照射する奥側光源と、前記手前側導光板の辺のうち、平面視で前記奥側光源が設けられる辺の方向と交わる方向の一辺に沿って配置され、該手前側導光板内に光を照射する手前側光源とを有し、かつ前記奥側光源と前記手前側照光源を合わせて３か所以上に配置されてなる照明部と、前記奥側導光板に比して前記表示パネルに対して前記照明装置の奥側に配置され、光を前記奥側導光板に向けて反射させる反射部材と、前記奥側導光板と前記手前側導光板の間に隙間を形成させた隙間部と、前記照明部の各奥側光源および各手前側光源のオンオフ制御を行う照明制御部と、を有してなることを特徴とする。
【００１０】
また、本発明にかかる表示装置は、上記の発明において、前記手前側導光板は、該手前側導光板の前記表示パネルに対して手前側の面に光を拡散させる光拡散処理部が形成されてなることを特徴とする。
【００１１】
また、本発明にかかる表示装置は、上記の発明において、前記照明制御部は、前記表示領域で表示される画像領域と、前記奥側光源と前記手前側光源の照明光交差領域とを対応させて、前記画像領域のうち黒色部分に対応する照明光交差領域を形成する前記奥側光源および前記手前光源をオフにする制御を行うことを特徴とする。
【００１２】
また、本発明にかかる表示装置は、上記の発明において、当該表示装置は、前記表示領域内を前記奥側光源および前記手前側光源から照射される光の照明光交差領域に対応して分割された分割領域の各分割領域の明るさ設定情報を入力する入力部をさらに有してなり、前記照明制御部は、前記入力部によって出力された前記明るさ設定情報に応じて前記各分割領域に対応する前記奥側光源および前記手前側光源をオンオフ制御することを特徴とする。
【発明の効果】
【００１３】
本発明にかかる表示装置は、照明装置が、平面視で前記表示パネルの表示領域に重なるように配置された奥側導光板と、前記奥側導光板に比して前記表示パネル近傍側、かつ平面視で前記表示領域に重なるように配置された手前側導光板と、前記奥側導光板の一辺に沿って配置され、該奥側導光板内に光を照射する奥側光源と、前記手前側導光板の辺のうち、平面視で前記奥側光源が設けられる辺の方向と交わる方向の一辺に沿って配置され、該手前側導光板内に光を照射する手前側光源とを有し、かつ前記奥側光源と前記手前側照光源を合わせて３か所以上に配置されてなる照明部と、前記奥側導光板に比して前記表示パネルに対して前記照明装置の奥側に配置され、光を前記奥側導光板に向けて反射させる反射部材と、前記奥側導光板と前記手前側導光板の間に設けられ、前記奥側導光板と異なる屈折率の材料によってなる異屈折率部材と、前記照明部の各奥側光源および各手前側光源のオンオフ制御を行う照明制御部と、を有してなるので、前記奥側導光板の一辺および前記手前側導光板の一辺に沿って光源を設けるだけでよく、結果的に簡易な構成で表示領域内の指定領域の輝度を調整することができる。
【図面の簡単な説明】
【００１４】
【図１】図１は、本発明の実施の形態にかかる表示装置の全体構成を示した模式図である。
【図２】図２は、奥側光源から発せられる光の進路について具体的に説明する図である。
【図３】図３は、手前側光源から発せられる光の進路について具体的に説明する図である。
【図４】図４は、表示領域が奥側光源および手前側光源によって１６の分割領域に分割されることを説明するための図である。
【図５】図５は、各奥側光源および各手前側光源をオンオフさせて分割領域の明るさを調整することについて説明するための図である。
【図６】図６は、各奥側光源および各手前側光源をオンオフさせて分割領域の明るさを調整することについて説明するための図である。
【図７】図７は、照明制御部が行う各奥側光源および各手前側光源のオンオフ制御処理の流れを示したフローチャート図である。
【図８】図８は、本発明の実施の形態の変形例１の表示装置を示した模式図である。
【図９】図９は、本発明の実施の形態の変形例２の表示装置を示した模式図である。
【図１０】図１０は、本発明の実施の形態の変形例３の表示装置を示した模式図である。
【図１１】図１１は、本発明の実施の形態の変形例４の表示装置を示した模式図である。
【図１２】図１２は、本発明の実施の形態の変形例５の表示装置の要部断面模式図である。
【図１３】図１３は、本発明の実施の形態の変形例６の表示装置の表示領域の模式図である。
【図１４】図１４は、本発明の実施の形態の変形例７の表示装置の表示領域の模式図である。
【発明を実施するための形態】
【００１５】
以下、図面を参照して、本発明にかかる表示装置の好適な実施の形態を詳細に説明する。
【００１６】
（実施の形態）
図１は、本発明の実施の形態にかかる表示装置１の全体構成を示した模式図である。図２は、奥側光源５５ａから発せられる光の進路について具体的に説明する図である。図３は、手前側光源５５ｂから発せられる光の進路について具体的に説明する図である。図４は、表示領域ＡＲ１が奥側光源５５ａおよび手前側光源５５ｂによって１６の分割領域ＡＲ５に分割されることを説明するための図である。図５は、各奥側光源５５ａおよび各手前側光源５５ｂをオンオフさせて分割領域ＡＲ５の明るさを調整することについて説明するための図である。図６は、各奥側光源５５ａおよび各手前側光源５５ｂをオンオフさせて分割領域ＡＲ５の明るさを調整することについて説明するための図である。
なお、便宜上、直交する矢印のそれぞれをＸＹ方向とする。
本発明の実施の形態にかかる表示装置１は、表示パネル１０、照明装置５０、入力部７０、記憶部７１、主制御部７２を有してなる。
【００１７】
まず、表示パネル１０について説明する。
表示パネル１０は、照明装置５０から照射される光を透過して画像を表示するものである。この表示パネル１０は、例えば、一対のほぼ矩形状の基板で液晶材料を挟持した液晶表示パネルによって実現される。
【００１８】
次に、照明装置５０について説明する。
照明装置５０は、いわゆるエッジライト方式の照明装置であり、表示パネル１０の背面側から光を照射するものである。この照明装置５０は、照明機構部５１および照明制御部６０を有してなる。
照明機構部５１は、拡散部材５２、奥側導光板５３、手前側導光板５４、照明部５５、反射部材５６および異屈折率部材５７を有してなる。
拡散部材５２は、表示パネル１０と手前側導光板５４との間に配置され、手前側導光板５４を透過した光を拡散させるものである。光拡散部材５２は、例えば樹脂からなる球体状のビーズが含有された光透過性の樹脂からなる光拡散シートによって実現される。
【００１９】
奥側導光板５３は、ほぼ矩形状のアクリル樹脂等の光透過性の合成樹脂からなる基板であり、表示パネル１０に対して照明装置５０の奥側位置、かつ平面視で表示パネル１０の表示領域ＡＲ１に重なるように配置された導光板である。この奥側導光板５３は、光拡散処理部５３ａを有してなる。光拡散処理部５３ａは、断面が三角形状の凸状部分が奥側導光板５３の表示パネル１０に対して奥側の面５３ｂに形成され、光を拡散させる部分である。なお、この光拡散処理部５３ａは、断面が三角形状の凸状に限定されず、光を拡散することができれば、その他の形状であっても構わない。
【００２０】
手前側導光板５４は、奥側導光板５３と同様に、ほぼ矩形状のアクリル樹脂等の光透過性の合成樹脂からなる基板であり、奥側導光板５３に比して表示パネル１０近傍側、かつ平面視で表示領域ＡＲ１に重なるように配置された導光板である。この手前側導光板５４は、光拡散処理部５４ａを有してなる。光拡散処理部５４ａは、断面が三角形状の凸状部分が手前側導光板５４の表示パネル１０に対して手前側の面５４ｂに形成され、光を拡散させる部分である。なお、この光拡散処理部５４ａは、断面が三角形状の凸状に限定されず、光を拡散することができれば、その他の形状であっても構わない。
【００２１】
照明部５５は、奥側光源５５ａおよび手前側光源５５ｂを有してなる。
奥側光源５５ａは、例えば赤色発光の発光ダイオード素子、緑色発光の発光ダイオード素子および青色発光の発光ダイオード素子を合わせたものであり、白色光を発光するものである。
この奥側光源５５ａは、奥側導光板５３の一辺５３ｃに沿って配置され、奥側導光板５３内に光を照射するものである。この実施の形態では、４つの奥側光源５５ａ１，５５ａ２，５５ａ３，５５ａ４が奥側導光板５３の一辺５３ｃに沿って配置されている。
手前側光源５５ｂは、手前側導光板５４の辺のうち、平面視で奥側光源５５ｂが設けられる辺の方向と交わる方向の一辺５４ｃに沿って配置され、手前側導光板５５ｂ内に光を照射するものである。この実施の形態では、４つの手前側光源５５ｂ１，５５ｂ２，５５ｂ３，５５ｂ４が手前側導光板５４の一辺５４ｃに沿って配置されている。
なお、各奥側光源５５ａは、白色光を発光するものであればその他のものを用いても構わない。
【００２２】
反射部材５６は、奥側導光板５３に比して表示パネル１０に対して照明装置５０の奥側に配置され、光を奥側導光板５３に向けて反射させるものである。
【００２３】
異屈折率部材５７は、奥側導光板５３と手前側導光板５４との間に配置され、奥側導光板５３と手前側導光板５４とが密接されることによってモアレ等が発生することを防止するものである。この異屈折率部材５７は、例えば、光透過性の樹脂からなるシートによって実現される。また、異屈折率部材５７は、奥側導光板５３と屈折率が異なる光透過性の材料からなる。
【００２４】
ここで、図２および図３を用いて奥側光源５５ａおよび手前側光源５５ｂから発せられる光の進路Ｌについて具体的に説明する。
まず、図２を用いて、奥側光源５５ａから発せされた光の進路Ｌについて説明する。
奥側光源５５ａから発せされた光は、奥側導光板５３内で全反射されながら、光拡散処理部５３ａの凸状部分で拡散され、奥側導光板５３外に出射された後、反射部材５６によって再び奥側導光板５３内に戻され、異屈折率部材５７に入射される。異屈折率部材５７に入射された光は、奥側導光板５３と異なる屈折率の異屈折率部材５７によって屈折され、手前側導光板５４に入射される。手前側導光板５４を透過された光は、拡散部材５２によって拡散されて表示パネル１０に入射される。
【００２５】
次に、図３を用いて、手前側光源５５ｂから発せられた光の進路について説明する。
手前光源５５ｂから発せされた光は、手前導光板５４内で全反射しながら、光拡散処理部５４ａの凸状部分で拡散され、手前導光板５４外に出射された後、拡散部材５２に入射される。拡散部材５２に入射された光は拡散部材５２によって拡散されて表示パネル１０に入射される。
【００２６】
奥側光源５５ａより発せられたこのような光は、図４に示すように、平面視で、各奥側光源５からＹ方向に向けて光が出射されるため、４つの奥側光源５５ａの各奥側光源５５ａから出射された光は奥側光源５５ａのＸ方向の幅にほぼ等しい幅でＹ方向に延びる帯状の照明領域ＡＲ２となる。
また、手前側光源５５ｂより発せられた光は、図４に示すように、平面視で、各手前光源５５ｂからＸ方向に向けて光が出射されるため、４つの手前側光源５５ｂの各手前側光源５５ｂから出射された光は手前側光源５５ｂのＹ方向の幅にほぼ等しい幅でＸ方向に延びる帯状の照明領域ＡＲ３となる。
このため、奥側光源５５ａおよび手前側光源５５ｂの照明領域ＡＲ２，ＡＲ３の照明光交差領域ＡＲ４では、輝度が高くなる。なお、この実施の形態の表示装置１では、Ｘ方向に並設された４つの奥側光源５５ａ、Ｙ方向に並設された４つの手前側光源５５ｂによる照明光交差領域ＡＲ４が表示領域ＡＲ１を１６に分割した分割領域ＡＲ５に対応するように構成されている。
【００２７】
次に、照明制御部６０について説明する。
照明制御部６０は、ＣＰＵ等によって実現される。この照明制御部６０は、各奥側光源５５ａおよび各手前側光源５５ｂに接続され、各奥側光源５５ａおよび各手前側光源５５ｂのオンオフ制御を行う制御回路である。
より具体的には、入力部７０によって出力された明るさ設定情報に応じて各分割領域ＡＲ５に対応する奥側光源５５ａおよび手前側光源５５ｂをオンオフ制御するものである。
【００２８】
入力部７０は、タッチパネル等によって実現され、操作者による入力操作が行われるものである。この入力部７０は、各分割領域ＡＲ５の明るさ設定情報を入力するようになっている。
記憶部７１は、ハードディスク、ＲＯＭ、ＲＡＭ等の各種メモリによって実現され表示装置の画像情報、あるいは制御プログラム等の表示装置に関わる情報を記憶するものである。
主制御部７２は、ＣＰＵ等によって実現され、上述した各部に接続され表示装置１の各部の処理および動作を制御するものである。
このような表示装置１は、照明光交差領域ＡＲ４に対応して表示領域ＡＲ１を１６に分割された分割領域ＡＲ５を、奥側光源５５ａおよび手前側光源５５ｂをオンさせた明るさ（以下、明るさレベル２という。）、奥側光源５５ａあるいは手前側光源５５ｂのいずれか一方をオンさせた明るさ（以下、明るさレベル１という。）、奥側光源５５ａおよび手前側光源５５ｂをオフさせた明るさ（以下、明るさレベル０という。）の３種の明るさに調整することができる。
【００２９】
ここで、図５および図６を用いて各奥側光源５５ａおよび各手前側光源５５ｂをオンオフさせて分割領域ＡＲ５の明るさを調整する処理について具体的に説明する。
まず、図５を用いて、表示領域ＡＲ１内に表示された画像Ｆ１−Ｆ４のうち注視したい画像Ｆ１に対応する分割領域ＡＲ５のみ明るくする例について説明する。
表示領域ＡＲ１にいくつかの画像Ｆ１−Ｆ４が表示されおり、一部の画像Ｆ１のみを注視したい場合、図５（ａ）に示すように、その注視すべき画像Ｆ１が奥側光源５５ａ３と手前側光源５５ｂ２による照明光交差領域ＡＲ４であれば、図５（ｂ）に示すように、奥側光源５５ａ３および手前側光源５５ｂ２をオンにし、その他の光源をオフにすることによって注視したい画像Ｆ１に対応する分割領域ＡＲ５を明るさレベル２とする。これによって、図５（ｃ）に示すように注視したい画像Ｆ１に対応する分割領域ＡＲ５のみ明るくすることができる。
【００３０】
次に、図６を用いて、擬似的に黒輝度を下げてコントラストを上げる例について説明する。
図６（ａ）に示すように、表示領域ＡＲ１内に黒色の画像Ｆ５とその他の色の画像Ｆ６−Ｆ８があり、擬似的に黒輝度を下げてコントラストを上げる場合、図６（ｂ）に示すように、奥側光源５５ａ２および奥側光源５５ａ３、手前側光源５５ｂ２および手前側光源５５ｂ３をオンにし、その他の光源をオフにする。すなわち、表示領域ＡＲ１で表示される画像領域と、奥側光源５５ａと手前側光源５５ｂとの照明光交差領域ＡＲ４とを対応させて、画像領域のうち黒色部分に対応する照明光交差領域ＡＲ４を形成する奥側光源５５ａおよび手前光源５５ｂをオフにする。
これにより、図６（ｃ）に示すように、黒色とその他の色の表示画像のコントラストを見かけ上向上させ、擬似的に黒輝度を下げてコントラストを上げることができる。
【００３１】
次に、図７のフローチャートを用いて、照明制御部６０が行う各奥側光源５５ａおよび各手前側光源５５ｂのオンオフ制御処理の流れについて説明する。
図７は、照明制御部６０が行う各奥側光源５５ａおよび各手前側光源５５ｂのオンオフ制御処理の流れを示したフローチャート図である。
まず、照明制御部６０は、入力部７０からの各分割領域ＡＲ５の明るさ設定情報を取得したか否かを判断する（ステップＳ１０１）。入力部７０からの各分割領域ＡＲ５の明るさ設定情報を取得した場合（ステップＳ１０１，Ｙｅｓ）、取得された各分割領域ＡＲ５の明るさ設定情報に基づいて各奥側光源５５ａおよび各手前側光源５５ｂのオンオフ制御信号を生成する（ステップＳ１０２）。
その後、照明制御部６０は、ステップＳ１０２で生成した各奥側光源５５ａおよび各手前側光源５５ｂのオンオフ制御信号を各奥側光源５５ａおよび各手前側光源５５ｂに出力し、ステップＳ１０１に移行する。
ステップＳ１０１において入力部７０からの各分割領域ＡＲ５の明るさ設定情報を取得したと判断されない場合（ステップＳ１０１，Ｎｏ）、この判断処理を繰り返す。
【００３２】
本発明の実施の形態の表示装置１は、照明装置５０が、平面視で表示パネル１０の表示領域ＡＲ１に重なるように配置された奥側導光板５３と、奥側導光板５３に比して表示パネル１０近傍側、かつ平面視で表示領域ＡＲ１に重なるように配置された手前側導光板５４と、奥側導光板５３の一辺５３ｃに沿って配置され、奥側導光板５３内に光を照射する奥側光源５５ａと、手前側導光板５４の辺のうち、平面視で奥側光源５５ａが設けられる辺の方向と交わる方向の一辺５４ｃに沿って配置され、手前側導光板５４内に光を照射する手前側光源５５ｂとを有し、かつ奥側光源５５ａと手前側照光源５５ｂを合わせて３か所以上に配置されてなる照明部５５と、奥側導光板５３に比して表示パネル１０に対して照明装置５０の奥側に配置され、光を前記奥側導光板５３に向けて反射させる反射部材５６と、奥側導光板５４と手前側導光板５４の間に設けられ、奥側導光板５３と異なる屈折率の材料によってなる異屈折率部材５７と、照明部５５の各奥側光源５５ａおよび各手前側光源５５ｂのオンオフ制御を行う照明制御部６０とを有してなるので、奥側導光板５３の一辺５３ｃおよび手前側導光板５４の一辺５４ｃに沿って光源５５ａ，５５ｂを設けるだけでよく、結果的に簡易な構成で表示領域ＡＲ１内の指定領域の輝度を調整することができる。
【００３３】
また、本発明の実施の形態の表示装置１は、平面視で表示パネル１０の表示領域ＡＲ１に重なるように配置された奥側導光板５３と、奥側導光板５３に比して表示パネル１０近傍側、かつ平面視で表示領域ＡＲ１に重なるように配置された手前側導光板５４と、奥側導光板５３の一辺５３ｃに沿って配置され、奥側導光板５３内に光を照射する奥側光源５５ａと、手前側導光板５４の辺のうち、平面視で奥側光源５５ａが設けられる辺の方向と交わる方向の一辺５４ｃに沿って配置され、手前側導光板５４内に光を照射する手前側光源５５ｂとを有してなるので、導光板に複雑な拡散処理を施さなくても、奥側光源５５ａおよび手前側光源５５ｂから発せられる光を合わせて輝度を向上させることができる。
【００３４】
また、本発明の実施の形態の表示装置１は、手前側導光板５４の光拡散処理部５４ａが手前側導光板５４の表示パネル１０に対して手前側の面５４ｂに形成されているので、手前側光源５５ｂから発せられた光を効率よく表示パネル１０方向に向けることができる。
【００３５】
（変形例１）
ここで、図８を用いて、本発明の実施の形態にかかる表示装置１の変形例１について説明する。図８は、本発明の実施の形態の変形例１の表示装置２を示した模式図である。
この変形例１の表示装置２は、表示装置１の照明機構部５１に代わって照明機構部１１０を有してなる。照明機構部１１０は、表示パネル１０と拡散部材５２との間に配置されたプリズムシート１１１をさらに有してなる点で照明機構部５１と異なる。
その他の構成は実施の形態と同じであり、同一構成部分には同一符号を付している。
【００３６】
プリズムシート１１１は、表示パネル１０側の面１１１ａに複数のプリズム１１１ｂが形成されている。この複数のプリズム１１１ｂの各プリズム１１１ｂは、Ｙ方向に延在する一対の斜面によって頂角を形成する三角形状からなり、かつＸ方向に並設されて形成されている。すなわち複数のプリズム１１１ｂは、各プリズム１１１ｂの稜線がＹ方向に延在し、かつＸ方向に並設されて形成されている。
なお、プリズムシート１１１は、プリズム１１１ｂが図中Ｘ方向に延在する一対の斜面によって頂角を形成する三角形状からなり、かつ図中Ｙ方向に並設されて形成されるものであってもよい。
【００３７】
この変形例１の表示装置２は、実施の形態の表示装置１と同様の効果を奏するとともに、プリズムシート１１１が表示パネル１０と拡散部材５２との間に配置されることによって、拡散部材５２によって拡散された光を表示パネル１０に集光させることができる。
【００３８】
（変形例２）
次に、図９を用いて、本発明の実施の形態にかかる表示装置１の変形例２について説明する。図９は、本発明の実施の形態の変形例２の表示装置３を示した模式図である。
この変形例２の表示装置３は、表示装置１の照明機構部５１に代わって照明機構部１２０を有してなる。照明機構部１２０は、表示パネル１０と拡散部材５２との間に配置された第一のプリズムシート１２１、および異屈折率部材５７と手前側導光板５４との間に配置された第二のプリズムシート１２２をさらに有してなる点で照明機構部５１と異なる。
その他の構成は実施の形態と同じであり、同一構成部分には同一符号を付している。
【００３９】
第一のプリズムシート１２１は、表示パネル１０側の面１２１ａに複数のプリズム１２１ｂが形成されている。この複数のプリズム１２１ｂの各プリズム１２１ｂは、図中Ｙ方向に延在する一対の斜面によって頂角を形成する三角形状からなり、かつ図中Ｘ方向に並設されて形成されている。この第一のプリズムシート１２１は、手前側光源５５ｂから平面視でＸ方向に発せれる光に対して直交するように各プリズム１２１ｂの稜線が形成されている。より具体的には、第一のプリズムシート１２１は、複数のプリズム１２１ｂの各プリズム１２１ｂの稜線がＹ方向に延在し、かつＸ方向に並設されて形成されている。
第二のプリズムシート１２２は、表示パネル１０側の面１２２ａに複数のプリズム１２２ｂが形成されている。この複数のプリズム１２２ｂの各プリズム１２２ｂは、図中Ｘ方向に延在する一対の斜面によって頂角を形成する三角形状からなり、かつ図中Ｙ方向に並設されて形成されている。この第二のプリズムシート１２２は、奥前側光源５５ａから平面視でＹ方向に発せれる光に対して直交するようにプリズム１２２ｂの稜線が形成されている。より具体的には、第二のプリズムシート１２２は、複数のプリズム１２２ｂの各プリズム１２２ｂの稜線がＸ方向に延在し、かつＹ方向に並設されて形成されている。
【００４０】
この変形例２の表示装置３は、実施の形態の表示装置１と同様の効果を奏するとともに、第一のプリズムシート１２１が表示パネル１０と拡散部材５２との間に配置されることによって、拡散部材５２によって拡散された光を表示パネル１０に集光させることができ、第二のプリズムシート１２２が異屈折率部材５７と手前側導光板５４との間に配置されることによって、異屈折率部材５７によって屈折された光を表示パネル１０に集光させることができる。
【００４１】
（変形例３）
次に、図１０を用いて、本発明の実施の形態にかかる表示装置４の変形例３について説明する。図１０は、本発明の実施の形態の変形例３の表示装置４を示した模式図である。
この変形例３の表示装置４は、表示装置１の照明機構部５１に代わって照明機構部１３０を有してなる。この照明機構部１３０は、奥側導光板５３と手前側導光板５４の間に、異屈折率部材５７に代わって、隙間部１３１を有してなる点で照明機構部５１と異なる。
その他の構成は実施の形態と同じであり、同一構成部分には同一符号を付している。
【００４２】
隙間部１３１は、照明機構部の各部を保持する図示しない筺体等によって奥側導光板５３と手前側導光板５４の間に形成された隙間部分である。このように隙間部１３１を設けることによって、奥側導光板５３と手前側導光板５４の間に空気を介在させることができる。すなわち、奥側導光板５３と手前側導光板５４の間に奥側導体板５３と異なる屈折率の空気を介在させることができる。
【００４３】
この変形例３の表示装置４は、異屈折率部材５７に代わって、隙間部１３１によって奥側導光板５３から透過された光を屈折させることができるので、実施の形態の表示装置１と同様の効果を奏する。
【００４４】
（変形例４）
次に、図１１を用いて、本発明の実施の形態にかかる表示装置１の変形例４について説明する。図１１は、本発明の実施の形態の変形例４の表示装置５を示した模式図である。  この変形例４の表示装置５は、表示装置１の照明機構部５１に代わって照明機構部１４０を有する。照明機構部１４０は、異屈折率部材５７に代わって異屈折率部材１４１を有してなる。
その他の構成は実施の形態と同じであり、同一構成部分には同一符号を付している。
【００４５】
異屈折率部材１４１は、シート状基部１４１ａと、隙間形成部１４１ｂとを有してなる。シート状基部１４１ａは、樹脂からなる球体状のビーズが含有されたシート状の基部である。このシート状基部１４１ａは、含有されたビーズによって内部を透過する光を拡散させるようになっている。
隙間形成部１４１ｂは、シート状基部１４１ａの奥側導光板５３側の面１４１ｃに樹脂からなる半球状のビーズが複数設けられてなる部分である。この隙間形成部１４１ｂは、半球状のビーズによってシート状基部１４１ａが奥側導光板５３に密着されることないので、異屈折率部材１４１と奥側導光板５３との間に空気を介在させることができる。
【００４６】
この変形例４の表示装置５は、シート状基部１４１ａの奥側導光板５３側の面に設けられた隙間形成部１４１ｂによって、シート状基部１４１ａと奥側導光板５３との間に奥側導体板５３と異なる屈折率の空気を介在させることができるので、実施の形態の表示装置１と同様の効果を奏するとともに、シート状基部１４１ａによって光を拡散させることができる。
【００４７】
（変形例５）
次に、図１２を用いて、本発明の実施の形態にかかる表示装置１の変形例５について説明する。図１２は、本発明の実施の形態の変形例５の表示装置６の要部断面模式図である。この変形例５の表示装置６は、表示装置１の照明機構部５１に代わって照明機構部１５０を有する。照明機構部１５０は、手前側導光板５４に代わって手前側導光板１５１を有してなる点で照明機構部５１と異なる。
その他の構成は実施の形態と同じであり、同一構成部分には同一符号を付している。
【００４８】
手前側導光板１５１は、手前側導光板１５１の表示パネル１０に対して奥側の面１５１ａに光拡散処理部１５１ｂを有してなる。このような表示装置６では、手前側光源５５ｂから発せれられた光が奥側の面１５１ａから手前側導光板１５１外に出射されやすくなるものの、反射部材５６によって表示パネル１０側に反射されることによって再利用される。
【００４９】
（変形例６）
次に、図１３を用いて、本発明の実施の形態にかかる表示装置１の変形例６について説明する。図１３は、本発明の実施の形態の変形例６の表示装置７の表示領域ＡＲ１の模式図である。この変形例６の表示装置７は、Ｘ方向に並設された２つの奥側光源５５ａ、Ｙ方向に設けられた１つの手前側光源５５ｂによる照明光交差領域ＡＲ４が表示領域ＡＲ１を２つに分割するように構成されている。
その他の構成は実施の形態と同じであり、同一構成部分には同一符号を付している。
【００５０】
この変形例６の表示装置７は、実施の形態の表示装置１と同様の効果を奏することができる。
【００５１】
（変形例７）
次に、図１４を用いて、本発明の実施の形態にかかる表示装置１の変形例７について説明する。図１４は、本発明の実施の形態の変形例７の表示装置８の表示領域ＡＲ１の模式図である。
この変形例７の表示装置８は、ひし形形状の奥側導光板１５１および手前側導光板１５２を有してなる。奥側導光板１５１は、奥側光源５５ａが奥側導光板１５１の傾斜した一辺１５１ａに沿って配置されている。また、手前側導光板１５２は、手前側光源５５ｂが手前側導光板１５２の辺のうち、平面視で奥側光源５５ａが設けられる辺の方向と傾斜して交わる方向の一辺１５２ａに沿って配置されている。
その他の構成は実施の形態と同じであり、同一構成部分には同一符号を付している。
【００５２】
この変形例７の表示装置８は、照明装置５０が、平面視で表示パネル１０の表示領域ＡＲ１に重なるように配置された奥側導光板１５１と、奥側導光板１５１に比して表示パネル１０近傍側、かつ平面視で表示領域ＡＲ１に重なるように配置された手前側導光板１５２と、奥側導光板１５１の一辺１５１ａに沿って配置され、奥側導光板１５１内に光を照射する奥側光源５５ａと、手前側導光板１５２の辺のうち、平面視で奥側光源５５ａが設けられる辺の方向と交わる方向の一辺１５２ａに沿って配置され、手前側導光板５４内に光を照射する手前側光源５５ｂとを有してなるので、実施の形態の表示装置１と同様の効果を奏することができる。
【００５３】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００５４】
１、２、３、４、５、６、７、８  表示装置
１０      表示パネル
５０      照明装置
５１、１１０、１２０、１３０、１４０、１５０  照明機構部
５２      拡散部材
５３、１５１  奥側導光板
５３ａ、５４ａ、１５１ｂ  光拡散処理部
５３ｂ、５４ｂ  面
５３ｃ、５４ｃ、１５１ａ、１５２ａ  辺
５４、１５２  手前側導光板
５５      照明部
５５ａ、５５ａ１、５５ａ２、５５ａ３、５５ａ４  奥側光源
５５ｂ、５５ｂ１、５５ｂ２、５５ｂ３、５５ｂ４  手前側光源
５６      反射部材
５７、１４１  異屈折率部材
６０      照明制御部
７０      入力部
７１      記憶部
７２      主制御部
１１１、１２１、１２２  プリズムシート
１１１ａ、１２１ａ、１２２ａ、１４１ｃ、１５１ａ  面
１１１ｂ、１２１ｂ、１２２ｂ  プリズム
１３１    隙間部
１４１ａ  シート状基部
１４１ｂ  隙間形成部
ＡＲ１    表示領域
ＡＲ２、ＡＲ３  照明領域
ＡＲ４  照明光交差領域
ＡＲ５  分割領域
Ｆ１−Ｆ８  画像
【図１】
2013012439.tif 000003
【図２】
2013012439.tif 000004
【図３】
2013012439.tif 000005
【図４】
2013012439.tif 000006
【図５】
2013012439.tif 000007
【図６】
2013012439.tif 000008
【図７】
2013012439.tif 000009
【図８】
2013012439.tif 000010
【図９】
2013012439.tif 000011
【図１０】
2013012439.tif 000012
【図１１】
2013012439.tif 000013
【図１２】
2013012439.tif 000014
【図１３】
2013012439.tif 000015
【図１４】
2013012439.tif 000016